(57)【要約】【課題】装置本体から引き出される引き出し型ディスプレイをより有効に活用できる携帯端末装置を提供する。【解決手段】フレキシブルＬＣＤ（２）は、可撓性を有するディスプレイである。上キャビネットから引き出されることによって、フレキシブルＬＣＤ（２）の表示領域は変化する。スライド量検出部（４）は、フレキシブルＬＣＤ（２）が携帯端末装置（１）から引き出されたり、あるいは携帯端末装置（１）に挿入されたりしたときにおける、フレキシブルＬＣＤ（２）の引き出し量（スライド量）を測定する。表示制御部（３）は、スライド量検出部（４）が測定したスライド量に応じた表示を、フレキシブルＬＣＤ（２）に行う。これにより、引き出されることによって表示領域が露出するディスプレイをより有効に活用する。【選択図】図１
2011034087.tif 000002
【特許請求の範囲】
【請求項１】
装置本体から引き出される引き出し型ディスプレイを備えている携帯端末装置であって、
上記引き出し型ディスプレイの引き出し量を検出する引出量検出手段と、
上記引出量検出手段が検出した引き出し量に応じたコンテンツの表示を、上記引き出し型ディスプレイに行う表示制御手段とを備え、
上記表示制御手段は、
上記引出量検出手段において、上記引き出し型ディスプレイが所定の方向に引き出されたことが検出された場合、表示しているコンテンツと上記引き出し型ディスプレイとの位置関係を保持するようにコンテンツの表示を行い、
上記引出量検出手段において、上記引き出し型ディスプレイが上記所定の方向と逆方向に引き出されたことが検出された場合、表示しているコンテンツと上記装置本体との位置関係を保持するようにコンテンツの表示を行う、
ことを特徴とする携帯端末装置。
【請求項２】
上記表示制御手段は、
上記引出量検出手段において、上記引き出し型ディスプレイが引き出されたことが検出された場合、引き出されたことによって露出した上記引き出し型ディスプレイの部分に、露出した面積に応じた新たなコンテンツの表示を行い、
上記引出量検出手段において、上記引き出し型ディスプレイが収納されたことが検出された場合、収納された上記引き出し型ディスプレイの面積に応じたコンテンツを削除する
ことを特徴とする請求項１に記載の携帯端末装置。
【請求項３】
上記引き出し型ディスプレイは、可撓性を有しており、
携帯端末装置は、上記引き出し型ディスプレイを曲げた状態で上記装置本体に収納することを特徴とする請求項１又は２に記載の携帯端末装置。
【請求項４】
上記表示制御手段は、
上記引き出し量に応じて、画像の大きさを調整して上記引き出し型ディスプレイに表示することを特徴とする請求項１又は２に記載の携帯端末装置。
【請求項５】
上記表示制御手段は、
上記検出された引き出し量に応じたサイズのコンテンツを表示することを特徴とする請求項１又は２に記載の携帯端末装置。
【請求項６】
上記引き出し型ディスプレイは、背面からの光照射を必要とするディスプレイであり、
上記引き出し型ディスプレイの上記光を照射する、上記引き出し型ディスプレイと共に引き出されることが可能なバックライトをさらに備えていることを特徴とする請求項１又は２に記載の携帯端末装置。
【請求項７】
上記引き出し型ディスプレイは、背面からの光照射を必要とするディスプレイであり、
上記引き出し型ディスプレイにおける、上記装置本体に収納されている部分に上記光を照射するためのバックライトと、
上記バックライトから照射される光の量を制御する光量制御手段と、
携帯端末装置の周囲の光量を検出する光量検出手段とをさらに備えており、
上記光量制御手段は、上記光量検出手段が検出した上記周囲の光量に応じて、バックライトから照射される光の量を制御することを特徴とする請求項１又は２に記載の携帯端末装置。
【請求項８】
上記引き出し型ディスプレイの前面に、ユーザによる接触の位置を検出する接触位置検出部材をさらに備え、
上記接触位置検出部材は、上記引き出し型ディスプレイと共に引き出されることが可能であることを特徴とする請求項１又は２に記載の携帯端末装置。
【請求項９】
上記引き出し型ディスプレイに表示される情報の表示サイズに応じた位置まで、上記引き出し型ディスプレイを自動的に移動させるディスプレイ移動手段をさらに備えていることを特徴とする請求項１又は２に記載の端末装置。
【請求項１０】
請求項１から１０のいずれか１項に記載の携帯端末装置を動作させる表示プログラムであって、コンピュータを上記の各手段として機能させるための表示プログラム。
【請求項１１】
請求項１０に記載の表示プログラムを記録しているコンピュータ読み取り可能な記録媒体。
【発明の詳細な説明】
【技術分野】
【０００１】
本発明は、引き出される引き出し型ディスプレイを備えている携帯端末装置、表示方法、表示プログラム、および記録媒体に関する。
【背景技術】
【０００２】
近年、携帯電話機などの、携帯型の端末装置の高機能化が進んでいる。たとえば、音声通話だけでなく、メール送受信、インターネット閲覧など、文字や画像の通信を行うことができる携帯電話機が開発されている。このような携帯電話機において、文字や画像の情報を見やすくするために、ディスプレイの大型化が望まれている。また、一方で、持ち運びやすくするために、端末を小型化したり軽量化したりすることも求められている。
【０００３】
そこで、携帯端末本体を小型に保ったまま、ディスプレイの表示領域のみを大型化する技術がいくつか知られている。
【０００４】
たとえば、特許文献１には、前面に、ユーザによるキー操作によって所定情報を入力するキー操作部と、小型の液晶表示部とが設けられた本体部と、前面にユーザに対して所定情報を画面表示する大型の液晶表示部が設けられたスライド部とから構成され、前記スライド部が、前記本体部の背面にスライド移動するように、前記本体部及び前記スライド部にスライド機構を設けたことを特徴とする携帯端末装置が開示されている。
【０００５】
また、特許文献２には、第１の液晶表示部を備えた携帯電話機の内部若しくは背面部に第２の液晶表示部が分離不可の状態で出没自在に組み込まれており、該第２液晶表示部を取り出したときに第１液晶表示部と共に同一方向に向いたマルチ液晶表示部を形成するように形成されている携帯電話機が開示されている。
【０００６】
また、特許文献３には、前面が透明板で覆われる液晶表示部を有した携帯電話機であって、電話機本体の一側に取り付けられる表示シートユニットを備え、前記表示シートユニットは、電気的駆動源により正逆自在に回転する巻取軸と、前記巻取軸に巻回されかつ該巻取軸の正逆回転により前記透明板と前記液晶表示部との間に出入自在に介装される可撓性の表示シートと、からなり、前記表示シートの表面は、鏡面又は所望の図柄が描出された図柄表示面に成形されていることを特徴とする携帯電話機が開示されている。
【０００７】
また、特許文献４には、情報の表示のための内部スクリーンを有する携帯用電子デバイスであって、該電子デバイスは、該電子デバイスから情報を受け取るためおよび、電子光学的媒体上にこの情報を表示することを可能にするために構成された外部スクリーンによって特徴付けられる、携帯用電子デバイスが開示されている。
【０００８】
以上の文献によれば、携帯端末装置に、大型のディスプレイを備えることができ、小型の装置であっても大画面の表示を可能とする。
【先行技術文献】
【特許文献】
【０００９】
【特許文献１】日本国公開特許公報「特開２００３−１６９１２０号公報（公開日：２００３年６月１３日）」
【特許文献２】日本国公開特許公報「特開２００３−１９８６８３号公報（公開日：２００３年７月１１日）」
【特許文献３】日本国公開特許公報「特開２００３−１９８６８９号公報（公開日：２００３年７月１１日）」
【特許文献４】日本国公開特許公報「特表２００４−５３６４７５号公報（公開日：２００４年１２月２日）」
【発明の概要】
【発明が解決しようとする課題】
【００１０】
しかし、従来の構成では、単に、ディスプレイを引き出して、その表示領域を大型化できるのみである。このようなディスプレイに、何をどう表示するにかについては、格別な工夫がない。たとえば、ディスプレイを最大限引き出した状態において、大画面での表示を行っている程度が現状である。すなわち従来構成では、ディスプレイを完全に収納した場合と、完全に引き出した場合との、２種類の表示形態しか実現されていない。したがって、引き出して大型化できるディスプレイを有効には活用できていない。
【００１１】
本発明は上記の問題点に鑑みてなされたものであり、その目的は、装置本体から引き出される引き出し型ディスプレイをより有効に活用できる携帯端末装置、表示方法、表示プログラム、および記録媒体を提供することにある。
【課題を解決するための手段】
【００１２】
本発明に係る携帯端末装置は、上記の課題を解決するために、
装置本体から引き出される引き出し型ディスプレイを備えている携帯端末装置であって、
上記引き出し型ディスプレイの引き出し量を検出する引出量検出手段と、
上記引出量検出手段が検出した引き出し量に応じた表示を、上記引き出し型ディスプレイに行う表示制御手段とを備えていることを特徴としている。
【００１３】
上記の構成によれば、携帯端末装置は、引き出し型ディスプレイを備えている。ユーザは、たとえば引き出し型ディスプレイの一端を掴み、携帯端末装置の装置本体から引き出すことができる。これにより引き出し型ディスプレイの表示領域（表示画面）が変化する。たとえば表示領域は、装置本体に収納されているときよりも大型化する。
【００１４】
携帯端末装置では、引き出し型ディスプレイがどれだけ引き出されたかを表す引き出し量を、引出量検出手段が検出する。このとき、引出量検出手段が検出した引き出し量に応じた表示を、表示制御手段が実行する。引き出し型ディスプレイにおける表示領域のサイズは、引き出し量に応じて定まるものである。したがって表示制御手段は、引き出し型ディスプレイにおける表示領域の現在のサイズに対応した、最適な情報表示を、引き出し型ディスプレイに行うことができる。たとえば、引き出し型ディスプレイにおける表示領域のサイズに併せて、写真画像の向きや大きさを調整して、最適な状態に表示することができる。
【００１５】
このように携帯端末装置は、引き出し型ディスプレイを、より有効に活用できる効果を奏する。
【００１６】
また、本発明に係る表示方法は、上記の課題を解決するために、
装置本体から引き出される引き出し型ディスプレイを備えている携帯端末装置が実行する表示方法であって、
上記引き出し型ディスプレイの引き出し量を検出する引出量検出ステップと、
上記引出量検出手段が検出した引き出し量に応じた表示を、上記引き出し型ディスプレイに行う表示制御ステップとを含んでいることを特徴としている。
【００１７】
上記の構成によれば、本発明に係る携帯端末装置と同様の作用効果を奏する。
【００１８】
本発明に係る携帯端末装置は、上記の課題を解決するために、
装置本体から引き出される引き出し型ディスプレイを備えている携帯端末装置であって、
上記引き出し型ディスプレイに表示される情報の表示サイズに応じた位置まで、上記引き出し型ディスプレイを自動的に移動させるディスプレイ移動手段を備えていることが好ましい。
【００１９】
上記の構成によれば、ディスプレイ移動手段は、引き出し型ディスプレイに表示する情報の表示サイズに応じた位置まで、引き出し型ディスプレイを自動的に移動させる。これにより、引き出し型ディスプレイにおける表示領域の大きさを、引き出し型ディスプレイに表示される情報の表示サイズに応じたものに自動的に変更する。
【００２０】
したがって携帯端末装置は、装置本体から引き出される引き出し型ディスプレイを、より有効に活用できる効果を奏する。
【００２１】
本発明に係る携帯端末装置は、上記の課題を解決するために、
装置本体から引き出される引き出し型ディスプレイを備えている携帯端末装置であって、
上記引き出し型ディスプレイは可撓性を有することによって、装置本体に曲げられて収納可能であり、
上記引き出し型ディスプレイが曲げられて装置本体に収納されているときにおける、曲げた位置によって分けられる一方の面のうち少なくとも一部が、第１のディスプレイとして装置本体の表面に露出しており、
上記曲げた位置によって分けられる他方の面のうち少なくとも一部が、第１のディスプレイとは異なる第２のディスプレイとして、上記第１のディスプレイが露出する面とは異なる面に露出していることを特徴としている。
【００２２】
上記の構成によれば、引き出し型ディスプレイは、携帯端末装置において、第１のディスプレイおよび第２のディスプレイとして機能する。たとえば、携帯端末装置のある面における第１のディスプレイと、その面の裏側の面における第２のディスプレイとが、いずれも、一つの引き出し型ディスプレイによって兼用されている。
【００２３】
これにより携帯端末装置は、装置本体から引き出される引き出し型ディスプレイをより有効に活用できる効果を奏する。
【００２４】
なお、上記携帯端末装置は、コンピュータによって実現してもよい。この場合、コンピュータを上記各手段として動作させることにより上記携帯端末装置をコンピュータにおいて実現する表示プログラム、およびその表示プログラムを記録したコンピュータ読み取り可能な記録媒体も、本発明の範疇に入る。
【図面の簡単な説明】
【００２５】
【図１】本発明に係る携帯端末装置の要部構成を示すブロック図である。
【図２（ａ）】携帯端末装置の外観を示す図であり、折り畳まれた状態の携帯端末装置を示す図である。
【図２（ｂ）】開かれた状態の携帯端末装置の外観を示す図である。
【図２（ｃ）】フレキシブルＬＣＤが横に引き出された状態の携帯端末装置の外観を示す図である。
【図３（ａ）】携帯端末装置において、上キャビネットからフレキシブルＬＣＤを引き出す様子をさらに詳しく説明する図であり、フレキシブルＬＣＤが上キャビネットに完全に収められている状態を示す図である。
【図３（ｂ）】フレキシブルＬＣＤを上キャビネットからある程度引き出した状態を示す図である。
【図３（ｃ）】図３（ｂ）に示す上キャビネットを裏側から見た状態を示す図である。
【図３（ｄ）】フレキシブルＬＣＤを引き出したあとにおいて筐体のフレームが筐体に残されている状態を示す図である。
【図４（ａ）】上キャビネットの断面を示す図であり、フレキシブルＬＣＤが上キャビネットに収納されている状態を示す図である。
【図４（ｂ）】フレキシブルＬＣＤが上キャビネットから引き出されている状態を示す図である。
【図５（ａ）】引き出し部が収納されている位置に光を照射するためのバックライトと、上キャビネットから引き出された状態のフレキシブルＬＣＤに光を照射するための引き出し型バックライトとをさらに備えている上キャビネットの構成を示す図であり、フレキシブルＬＣＤが上キャビネットに収納されている状態を示す図である。
【図５（ｂ）】フレキシブルＬＣＤが上キャビネットから完全に引き出されている状態を示す図である。
【図６】携帯端末装置が、メインディスプレイ用バックライトから照射される光の光量を、周囲の光量に併せて調整するときにおける処理の流れを説明するフローチャートである。
【図７】フレキシブルＬＣＤが上キャビネットから引き出されるときにスライド量に応じて、携帯端末装置が、フレキシブルＬＣＤに表示する情報の内容や構成を、柔軟に変更するときの処理の流れを説明するフローチャートである。
【図８（ａ）】フレキシブルＬＣＤのスライド量に応じて、フレキシブルＬＣＤにおける表示内容が切り替わる様子を示す図であり、フレキシブルＬＣＤが上キャビネットに完全に収納されているときの表示状態を示す図である。
【図８（ｂ）】フレキシブルＬＣＤが若干、上キャビネットから引き出されたときにおける表示状態を示す図である。
【図８（ｃ）】フレキシブルＬＣＤが上キャビネットから完全に引き出されたときにおける表示状態を示す図である。
【図８（ｄ）】フレキシブルＬＣＤが上キャビネットからこれ以上は引き出さすことができないときにおける表示状態を示す図である。
【図９】フレキシブルＬＣＤのスライド量に応じて、携帯端末装置が、電子ブックのページ送りを行うときの処理の流れを示すフローチャートである。
【図１０（ａ）】フレキシブルＬＣＤのスライド量に応じて電子ブックのページ送りが行われる状態を示す図であり、フレキシブルＬＣＤが上キャビネットに完全に収納されているときにおける電子ブックの表示状態を示す図である。
【図１０（ｂ）】フレキシブルＬＣＤが上キャビネットから引き出される方向にスライドされたときにおける、電子ブックの表示状態を示す図である。
【図１０（ｃ）】フレキシブルＬＣＤが上キャビネットに収納される方向スライドされたときにおける、電子ブックの表示状態を示す図である。
【図１０（ｄ）】フレキシブルＬＣＤが上キャビネットから引き出される方向に再びスライドされたときにおける、電子ブックの表示状態を示す図である。
【図１１】フレキシブルＬＣＤのスライド量に応じて、携帯端末装置が、選択可能なチャンネルを切り替えるときにおける処理の流れを説明するフローチャートである。
【図１２】フレキシブルＬＣＤのスライド量と、選択できるチャンネルとの関係を表す図である。
【図１３】本発明の第２実施形態に係る携帯端末装置の要部構成を示すブロック図である。
【図１４】携帯端末装置の上キャビネットを裏側から見た平面図である。
【図１５（ａ）】上キャビネットの断面を示す図であり、フレキシブルＬＣＤが上キャビネットに完全に収納されている状態を示す図である。
【図１５（ｂ）】フレキシブルＬＣＤが上キャビネットから完全に引き出された状態を示す図である。
【図１６】ユーザが選択したチャンネルに対応した最適な大きさになるように、携帯端末装置がフレキシブルＬＣＤを自動的にスライドさせるときの処理の流れを示すフローチャートである。
【図１７】本発明の第３実施形態に係る携帯端末装置の要部構成を示すブロック図である。
【図１８（ａ）】上キャビネットの断面を示す図であり、フレキシブル有機ＥＬが上キャビネットに完全に収納されている状態を示す図である。
【図１８（ｂ）】フレキシブル有機ＥＬが上キャビネットから完全に引き出された状態を示す図である。
【図１９】フレキシブル有機ＥＬをスライドさせたとき、タッチパネルのタッチ検出位置を、それに併せて変化させるときの処理の流れを示すフローチャートである。
【図２０（ａ）】フレキシブル有機ＥＬのスライド位置と、タッチ検出範囲との関係を示す図であり、フレキシブル有機ＥＬが上キャビネットに完全に収納されているときにおける、フレキシブル有機ＥＬの表示例と、タッチパネルにおけるタッチ検出範囲との関係を示す図である。
【図２０（ｂ）】フレキシブル有機ＥＬが上キャビネットから引き出されたときにおける、フレキシブル有機ＥＬの表示例と、タッチパネルにおけるタッチ検出範囲との関係を示す図である。
【図２０（ｃ）】フレキシブル有機ＥＬが上キャビネットから引き出されたときにおける、フレキシブル有機ＥＬの表示例と、タッチパネルにおけるタッチ検出範囲との他の関係を示す図である。
【図２１（ａ）】フレキシブルＬＣＤに形成されているスピーカ振動子を示す図であり、フレキシブルＬＣＤにおけるメインディスプレイに対応する部分に第１スピーカ振動子が形成されている様子を示す図である。
【図２１（ｂ）】サブディスプレイに対応する部分に第２スピーカ振動子が形成されている様子を示す図である。
【図２１（ｃ）】フレキシブルＬＣＤが完全に引き出されたときに、第１スピーカ振動子および第２スピーカ振動子がステレオスピーカを構成する様子を示す図である。
【図２２（ａ）】スライド部がスライドされていない状態の携帯端末装置を示す図である。
【図２２（ｂ）】スライド部がスライドされている状態の携帯端末装置を示す図である。
【図２３（ａ）】スライド部がスライドされていない状態において、ディスプレイの一部がサブディスプレイとして機能する携帯端末装置を示す図である。
【図２３（ｂ）】スライド部がスライドされた状態において、サブディスプレイが機能しない携帯端末装置を示す図である。
【図２４（ａ）】上キャビネットにフレキシブルＬＣＤが収納されているときに、フレキシブルＬＣＤにテレビ番組が表示される様子を示す図である。
【図２４（ｂ）】テレビ番組の表示中にフレキシブルＬＣＤが引き出されたときに、フレキシブルＬＣＤのうち引き出された部分にデータ放送が表示される様子を示す図である。
【発明を実施するための形態】
【００２６】
〔実施形態１〕
本発明に係る第１の実施形態について、図１〜図１２に基づいて以下に説明する。本実施形態では、巻き取りによってスライドできるフレキシブルＬＣＤを備えた、クラムシェル型の携帯端末装置１について説明する。
【００２７】
（携帯端末装置１の概要）
まず、本発明に係る携帯端末装置１の要部構成について、図１を参照して以下に説明する。図１は、本発明に係る携帯端末装置１の要部構成を示すブロック図である。
【００２８】
図１に示すように、携帯端末装置１は、フレキシブルＬＣＤ２（引き出し型ディスプレイ）、メインディスプレイ用バックライト５（バックライト）、サブディスプレイ用バックライト６、光量センサ８、メモリ１０、制御部１２、およびローラ４１を備えている。
【００２９】
これらのうち、制御部１２を除く他のものは、ハードウェアデバイスとして実現されるものである。一方、制御部１２は、ソフトウェアとしても、ハードウェアロジックとしても実現されるものである。また、制御部１２は、表示制御部３（表示手段）、スライド量検出部４（引き出し量検出手段）、照明制御部７、光量検出部９（光量検出手段）、および表示変更判定部１１を備えている。
【００３０】
携帯端末装置１が備えているフレキシブルＬＣＤ２は、テキストや画像などを表示するための液晶ディスプレイ（Ｌｉｑｕｉｄ  Ｃｒｙｓｔａｌ  Ｄｉｓｐｌａｙ）である。フレキシブルの名が示すように、フレキシブルＬＣＤ２は、可撓性を有し、曲げることの可能なディスプレイである。詳しくは後述するが、フレキシブルＬＣＤ２は、携帯端末装置１から引き出されるディスプレイである。より詳細には、フレキシブルＬＣＤ２が携帯端末装置１の装置本体から引き出されることによって、フレキシブルＬＣＤ２の全表示領域のうち、装置本体内部に隠れていた部分が、装置本体の外部に露出する。したがってフレキシブルＬＣＤ２では、引き出し量の応じて、表示領域のうち装置外部に露出した部分の大きさが変化することになる。
【００３１】
携帯端末装置１が備えている光量センサ８は、光の量（強度）を検出し、検出した光量を表す電気信号を出力する受光素子を含んでいるハードウェア部品である。この光量センサ８が出力した電気信号を光量検出部９がデジタル化することによって、検出された光量を表す光量データを生成する。
【００３２】
（携帯端末装置１の外観）
携帯端末装置１の外観について、図２（ａ）〜図２（ｃ）を参照して以下に説明する。図２（ａ）〜図２（ｃ）は、携帯端末装置１の外観を示す図である。より詳細には、図２（ａ）は、折り畳まれた状態の携帯端末装置１を示す図である。図２（ｂ）は、開かれた状態の携帯端末装置１の外観を示す図である。図２（ｃ）は、フレキシブルＬＣＤ２が横に引き出された状態の携帯端末装置１の外観を示す図である。
【００３３】
携帯端末装置１は、折り畳み式の、いわゆるクラムシェル型の装置である。図２（ａ）に示すように、携帯端末装置１は、フレキシブルＬＣＤ２を備える上キャビネット２０と、ユーザが手に持って操作するための下キャビネット２１とを備えている。上述した光量センサ８は、上キャビネット２０に備えられている。また、上キャビネット２０の、光量センサ８が備えられている面には、サブディスプレイ２２が備えられている。
【００３４】
図２（ａ）に示す携帯端末装置１を開くと、図２（ｂ）に示すように、上キャビネット２０が下キャビネット２１から離れる。図２（ｂ）に示すように、上キャビネット２０には、サブディスプレイ２２が備えられている面と逆の面に、メインディスプレイ２３が備えられている。サブディスプレイ２２およびメインディスプレイ２３は、いずれも、フレキシブルＬＣＤ２の一部である。すなわち携帯端末装置１は、１枚のフレキシブルＬＣＤ２の一部をサブディスプレイ２２として利用し、他の一部を、メインディスプレイ２３として使用している。通常、メインディスプレイ２３のサイズは、サブディスプレイ２２のそれよりも大きい。したがって携帯端末装置１は、大きな画像や大量のテキストメッセージなどをメインディスプレイ２３に表示し、着信の通知メッセージや現在時刻など付加的で量の少ない情報を、サブディスプレイ２２に表示する。
【００３５】
なお、携帯端末装置１では、メインディスプレイ２３のサイズとサブディスプレイ２２のサイズとが、同一であってもよい。あるいは、サブディスプレイ２２のサイズが、メインディスプレイ２３のサイズよりも大きくてもよい。また、携帯端末装置１がメインディスプレイ２３およびサブディスプレイ２２に表示する情報は、上述したものに限定されず、どのようなものであってもよい。
【００３６】
携帯端末装置１では、フレキシブルＬＣＤ２は、上キャビネット２０から引き出して、さらにサイズを大きくして利用できるものとなっている。すなわち、図２（ｃ）に示すように、フレキシブルＬＣＤ２の一端には、引き出し部２５が備えられている。この引き出し部２５をユーザが掴み、フレキシブルＬＣＤ２を右側に引っ張れば、フレキシブルＬＣＤ２は、上キャビネット２０から引き出されて、上キャビネット２０の奥に隠されていた他の表示部分を露出させる。これによりユーザは、フレキシブルＬＣＤ２の表示領域を、より大きなサイズで利用できる。
【００３７】
（フレキシブルＬＣＤ２の引き出し）
図３（ａ）〜図３（ｄ）は、携帯端末装置１において、上キャビネット２０からフレキシブルＬＣＤ２を引き出す様子をさらに詳しく説明する図である。より詳細には、図３（ａ）は、フレキシブルＬＣＤ２が上キャビネット２０に完全に収められている状態を示す図である。図３（ｂ）は、フレキシブルＬＣＤ２を上キャビネット２０からある程度引き出した状態を示す図である。図３（ｃ）は、図３（ｂ）に示す上キャビネット２０を裏側から見た状態を示す図である。図３（ｄ）は、フレキシブルＬＣＤ２を引き出したあとにおいて筐体２６を構成するフレームの一部が筐体２６に残されている状態を示す図である。
【００３８】
上キャビネット２０は、筐体２６を有している。図３（ａ）に示すように、携帯端末装置１では、フレキシブルＬＣＤ２の一端に取り付けられている引き出し部２５が、筐体２６の一部となっている。すなわち、筐体２６と引き出し部２５とは同じ材料からなり、見た目も同じように作られている。これにより、ユーザに違和感を与えることがない。
【００３９】
図３（ｂ）に示すように、筐体２６の一部である引き出し部２５をユーザが掴み、携帯端末装置１の右側に引き出すと、フレキシブルＬＣＤ２が上キャビネット２０から引き出される。このとき、フレキシブルＬＣＤ２は撓むことなく、まっすぐに固定された状態で引き出されてくる。これは、図３（ｃ）に示すように、フレキシブルＬＣＤ２の裏面の両端部に、フレキシブルＬＣＤ２を固定するための支持部２７が、フレキシブルＬＣＤ２のスライド方向と同じ方向に向かって、直線状に設けられているからである。この支持部２７は、硬く、撓まない材料によって作られている。支持部２７がフレキシブルＬＣＤ２を支えるので、フレキシブルＬＣＤ２は、上キャビネット２０から引き出されても、撓むことなく、まっすぐに固定される。したがって、フレキシブルＬＣＤ２を引き出した後、ユーザが意識して、フレキシブルＬＣＤ２が曲がらないように、まっすぐに固定する必要がない。したがって、ユーザによる携帯端末装置１の操作性（ユーザビリティ）をより高めることができる。
【００４０】
なお、図３（ｄ）の構成では、フレキシブルＬＣＤ２を上キャビネット２０から引き出しても、筐体２６を構成するフレームの一部は、筐体２６に残されたままになっている。このときフレキシブルＬＣＤ２の表示画面の一部が、筐体２６に残されているフレームに覆い隠されてしまうので、表示画面が分割されてしまう。すなわち図３（ｄ）の構成では、ユーザがフレキシブルＬＣＤ２の表示画面を見づらいので、図３（ａ）の構成の方が好ましい。
【００４１】
なお、裏面に支持部２７が設けられていないと、フレキシブルＬＣＤ２は、その自重や、あるいは引き出し部２５の重量などによって、上キャビネット２０から引き出されたとき、自然と曲がってしまう。この場合ユーザが意識してフレキシブルＬＣＤ２を引っ張り、まっすぐに保持しないといけない。したがって、ユーザにとって、携帯端末装置１の使い勝手が悪くなってしまう。しかし、上述するように、本発明の携帯端末装置１では、フレキシブルＬＣＤ２の裏面に支持部２７を備えることによって、このような問題を解決している。
【００４２】
（支持部２７等の材料）
支持部２７の材料は、たとえば、筐体２６と同じような、硬く、撓みを防ぐものであれば、何でもよい。たとえば金属製であればよい。または、熱によって硬化する樹脂のシートを重ね合わせたものが、支持部２７の代わりに、フレキシブルＬＣＤ２の裏面に貼り付けられていてもよい。この場合、フレキシブルＬＣＤ２が上キャビネット２０から引き出されると、熱硬化性シートが冷却されて硬化する。これにより熱硬化性シートが固定され、支持部２７が設けられているときと同じように、フレキシブルＬＣＤ２を支持する。
【００４３】
支持部２７は、あるいは、形状記憶合金によって作られていてもよい。この場合、フレキシブルＬＣＤ２が上キャビネット２０から引き出されると、形状記憶合金が冷却されて、直線状に硬化する。これにより支持部２７が硬くなるので、熱硬化性シートを使うときと同じように、フレキシブルＬＣＤ２を支持し、撓みを抑えられる。
【００４４】
（フレキシブルＬＣＤ２の出し入れの様子）
上述したように、フレキシブルＬＣＤ２は、可撓性を有する液晶ディスプレイである。ここでいう「可撓性」は広い意味に解釈できる。すなわち、可撓性フレキシブルＬＣＤ２は、一枚の基板を基に構成され、基板自身が曲がることのできる性質を有している液晶ディスプレイとして実現できる。また、細長い板状の液晶表示パネルを連結させた、シャッター状の液晶ディスプレイとしても実現できる。このとき、板状の表示パネルの各連結部分が曲がることによって、フレキシブルＬＣＤ２全体として曲がることのできる性質を有することになる。
【００４５】
フレキシブルＬＣＤ２が有している可撓性を利用して、ユーザは、フレキシブルＬＣＤ２を、携帯端末装置１の内部に曲げた状態で収納できる。また、この状態のフレキシブルＬＣＤ２を引き出すことによって、フレキシブルＬＣＤ２を大型化して使用できる。これらの様子を、図４を参照して以下に説明する。
【００４６】
図４（ａ）および図４（ｂ）は、上キャビネット２０の断面を示す図である。より詳しくは、図４（ａ）は、フレキシブルＬＣＤ２が上キャビネット２０に収納されている状態を示す図である。図４（ｂ）は、フレキシブルＬＣＤ２が上キャビネット２０から引き出されている状態を示す図である。
【００４７】
上述したように、フレキシブルＬＣＤ２の一端には、引き出し部２５が取り付けられている。ユーザは、この引き出し部２５を掴んでフレキシブルＬＣＤ２を引っ張り、上キャビネット２０から引き出す。一方、フレキシブルＬＣＤ２の他端には、巻き取り可能なシート４２が取り付けられている。図４（ａ）の状態では、シート４２は、ローラ４１に完全に巻き取られている。フレキシブルＬＣＤ２を引き出すと、このシート４２が引っ張られて、巻き取り状態から、引き伸ばし状態へと変化する。
【００４８】
上述したスライド量検出部４は、ローラ４１の回転量を測定することによって、フレキシブルＬＣＤ２のスライド量（引き出し量）を測定する。なお、スライド量検出部４がフレキシブルＬＣＤ２のスライド量を測定する方法は、この方法に限定されない。
【００４９】
また、メインディスプレイ用バックライト５およびサブディスプレイ用バックライト６は、いずれも、上キャビネット２０内の基板に固定されている。すなわちフレキシブルＬＣＤ２とは一体化されていない。したがって、フレキシブルＬＣＤ２がスライドして上キャビネット２０から引き出されても、メインディスプレイ用バックライト５およびサブディスプレイ用バックライト６は、いずれも固定されて移動せず、上キャビネット２０から引き出されることはない。
【００５０】
（バックライトの配置）
図４（ａ）に示すように、上キャビネット２０に完全に収納されているとき、フレキシブルＬＣＤ２の一部は、上キャビネット２０の前面を向き、残りの一部は、上キャビネット２０の背面を向く。ここでいう「前面」とは、上キャビネット２０においてメインディスプレイ２３が設けられている側の面である。一方、「背面」とは、「前面」の裏側の面であり、サブディスプレイ２２が形成されている側の面である。フレキシブルＬＣＤ２のうち、上キャビネット２０の前面を向く側は、メインディスプレイ用バックライト５に平行して配置される。一方、背面を向く側は、サブディスプレイ用バックライト６に平行して配置される。
【００５１】
携帯端末装置１では、照明制御部７が、メインディスプレイ用バックライト５およびサブディスプレイ用バックライト６を制御する。すなわち照明制御部７は、メインディスプレイ２３として機能するフレキシブルＬＣＤ２の部分に、メインディスプレイ用バックライト５を通じて光を照射する。一方、サブディスプレイ２２として機能するフレキシブルＬＣＤ２の部分には、サブディスプレイ用バックライト６を通じて光を照射する。これにより、フレキシブルＬＣＤ２において、上キャビネット２０の前面を向く側が、メインディスプレイ２３として機能する。一方、フレキシブルＬＣＤ２において、上キャビネット２０の背面を向く側が、サブディスプレイ２２として機能する。
【００５２】
図４（ｂ）に示すように、上キャビネット２０を右側に引っ張ると、フレキシブルＬＣＤ２は、上キャビネット２０から引き出される。このときフレキシブルＬＣＤ２は、ローラ４０に接しながらスライドし、曲げられた状態から、まっすぐに伸ばされた状態へと移行する。これによりフレキシブルＬＣＤ２は、サブディスプレイ用バックライト６と面しなくなるので、サブディスプレイ２２としては機能しなくなる。そこで携帯端末装置１では、フレキシブルＬＣＤ２がスライドしたことをスライド量検出部４が検出したとき、照明制御部７が、サブディスプレイ用バックライト６の点灯をオフにする。これにより携帯端末装置１は、電力の無駄な消費を防止できる。
【００５３】
また、フレキシブルＬＣＤ２が上キャビネット２０から完全に引き出されたとき、シート４２が、サブディスプレイ用バックライト６を完全に覆う位置に配置される。これにより携帯端末装置１は、サブディスプレイ用バックライト６が露出することを防ぐ。
【００５４】
なお、シート４２の色は、筐体２６と色と同じであることが好ましい。または、シート４２の表面の模様は、筐体２６の表面の模様と同じであることが好ましい。これらの構成により、シート４２と筐体２６とが違和感なく一体化して見えるので、見た目がよくなる。
【００５５】
また、シート４２のうちサブディスプレイ用バックライト６を覆う部分の、筐体２６の外側に露出する面には、フレキシブルＬＣＤ２をこれ以上引き出すことができないことを示す所定の細工が施されていることが好ましい。たとえば、当該露出面に、「引き出せません」という文が記載されていてもよい。あるいは、掃除機の電源コードの黄テープや赤テープのような色や模様が施され、引き出しの限界に到達したことをユーザに通知するようにしてもよい。
【００５６】
（他のバックライト）
なお、上キャビネット２０は、図５に示す構成であってもよい。図５（ａ）および（ｂ）は、引き出し部２５が収納されている位置に光を照射するためのバックライト５１と、上キャビネット２０から引き出された状態のフレキシブルＬＣＤ２に光を照射するための引き出し型バックライト５０とをさらに備えている上キャビネット２０の構成を示す図である。より詳しくは、図５（ａ）は、フレキシブルＬＣＤ２が上キャビネット２０に収納されている状態を示す図である。図５（ｂ）は、フレキシブルＬＣＤ２が上キャビネット２０から完全に引き出されている状態を示す図である。
【００５７】
図５（ａ）に示す上キャビネット２０は、上述したメインディスプレイ用バックライト５およびサブディスプレイ用バックライト６に加えて、さらに、引き出し型バックライト５０およびバックライト５１を備えている。引き出し型バックライト５０は、上キャビネット２０から引き出された状態のフレキシブルＬＣＤ２の全面に光を照射するための光源である。一方、バックライト５１は、フレキシブルＬＣＤ２が上キャビネット２０から引き出されたとき、引き出し部２５が存在していた位置におけるフレキシブルＬＣＤ２の部分に光を照射するための光源である。
【００５８】
図５（ｂ）に示すように、フレキシブルＬＣＤ２が上キャビネット２０から完全に引き出されたとき、引き出し型バックライト５０もフレキシブルＬＣＤ２に併せて移動して、上キャビネット２０から引き出される。一方、上キャビネット２０において引き出し部２５が存在していた位置では、フレキシブルＬＣＤ２の裏側にバックライト５１が接するようになる。したがって、フレキシブルＬＣＤ２が上キャビネット２０から引き出されたとスライド量検出部４が判定するとき、照明制御部７は、引き出し型バックライト５０およびバックライト５１を点灯させる。これにより、上キャビネット２０から引き出された状態のフレキシブルＬＣＤ２において、全ての部分に同じ光量の光が照射される。すなわち、引き出し部２５によって隠されていた部分にも、同じ照度の光が照射される。
【００５９】
なお、バックライト５１は、メインディスプレイ用バックライト５の一部であってもよい。このとき照明制御部７は、フレキシブルＬＣＤ２が上キャビネット２０に収納されているとき、メインディスプレイ用バックライト５における、バックライト５１に相当する部分を消灯する。一方、フレキシブルＬＣＤ２が上キャビネット２０から引き出されたとき、メインディスプレイ用バックライト５を全て、すなわちバックライト５１に相当する部分も含めて、一様に点灯する。
【００６０】
（各バックライトの制御）
携帯端末装置１は、フレキシブルＬＣＤ２が上キャビネット２０から引き出されたとき、周囲の光量に応じて、メインディスプレイ用バックライト５から照射される光の量を制御することができる。この制御について、図６を参照して以下に説明する。
【００６１】
図６は、携帯端末装置１が、メインディスプレイ用バックライト５から照射する光の量を、周囲の光量に併せて調整するときにおける処理の流れを説明するフローチャートである。
【００６２】
図６に示すように、まず、スライド量検出部４が、フレキシブルＬＣＤ２が上キャビネット２０から引き出されたか否かを判定する（ステップＳ６１）。この判定結果が「真」であるとき（Ｙｅｓ）、照明制御部７が、サブディスプレイ用バックライト６をオフする（ステップＳ６２）。つぎに、光量検出部９が、光量センサ８を通じて、周囲の光量を検出する（ステップＳ６３）。この光量は、上キャビネット２０から引き出されているフレキシブルＬＣＤ２の裏側から、フレキシブルＬＣＤ２に入射する光の強度である。光量検出部９は、検出した周囲の光量に関するデータを、照明制御部７に出力する。
【００６３】
照明制御部７は、光量検出部９が検出した周囲の光量と同じ強度の光を照射するように、メインディスプレイ用バックライト５を制御する。これにより、メインディスプレイ用バックライト５は、携帯端末装置１の周囲の光量と同じ光量の光を、フレキシブルＬＣＤ２における、上キャビネット２０に収納されている部分に照射する。したがって、一枚のフレキシブルＬＣＤ２では、上キャビネット２０から引き出された位置においても、上キャビネット２０に収納されている位置においても、等しい光量の光が入射する。これにより、フレキシブルＬＣＤ２に表示される画面の明るさが、一様に安定する。すなわち、一部が極端に暗くなったり、あるいは明るくなったりすることがない。
【００６４】
（引き出し量に応じて表示内容を自動調整）
携帯端末装置１は、フレキシブルＬＣＤ２が上キャビネット２０から引き出されるときのスライド量に応じて、フレキシブルＬＣＤ２に表示する情報の内容や構成を、柔軟に変更できる。この例について、図７および図８を参照して以下に説明する。
【００６５】
図７は、フレキシブルＬＣＤ２が上キャビネット２０から引き出されるときにスライド量に応じて、携帯端末装置１が、フレキシブルＬＣＤ２に表示する情報の内容や構成を、柔軟に変更するときの処理の流れを説明するフローチャートである。一方、図８（ａ）〜図８（ｄ）は、フレキシブルＬＣＤ２のスライド量に応じて、フレキシブルＬＣＤ２における表示内容が切り替わる様子を示す図である。より詳細には、図８（ａ）は、フレキシブルＬＣＤ２が上キャビネット２０に完全に収納されているときの表示状態を示す図である。図８（ｂ）は、フレキシブルＬＣＤ２が若干、上キャビネット２０から引き出されたときにおける表示状態を示す図である。図８（ｃ）は、フレキシブルＬＣＤ２が上キャビネット２０から完全に引き出されたときにおける表示状態を示す図である。図８（ｄ）は、フレキシブルＬＣＤ２が上キャビネット２０からこれ以上は引き出されることができないときにおける表示状態を示す図である。図８（ａ）〜図８（ｄ）の例では、表示制御部３は、フレキシブルＬＣＤ２に、テレビ放送の受信映像やデジタルカメラにより撮影された写真画像を表示する。
【００６６】
図７に示すように、まず、スライド量検出部４が、フレキシブルＬＣＤ２が上キャビネット２０から引き出されたか否かを判定する（ステップＳ７１）。この判定結果が「真」であるとき（Ｙｅｓ）、スライド量検出部４は、スライド量を測定して、表示変更判定部１１に出力する。表示変更判定部１１は、フレキシブルＬＣＤ２のスライド量ｘ１が、０≦ｘ１＜ａを満たすか否かを判定する。ここで、ａは所定の値であり、フレキシブルＬＣＤ２に表示する画像の表示方向を切り替える基準となる基準スライド量として、携帯端末装置１において、メモリ１０にあらかじめ格納されている。
【００６７】
スライド量ｘ１が０≦ｘ１＜ａを満たすことを表示変更判定部１１が判定したとき、表示制御部３は、画像の縦方向が図８（ａ）に記載の矢印Ａの方向と等しくなるように、画像をフレキシブルＬＣＤ２に表示する。すなわち、画像を、データにおいて定義されている状態から反時計回りに９０°回転させた状態で表示する。
【００６８】
このときの画面表示例を、図８（ａ）および図８（ｂ）に示す。図８（ａ）のように、フレキシブルＬＣＤ２が上キャビネット２０から引き出されていない状態では、フレキシブルＬＣＤ２の露出している部分は縦長であり、横長の画像を表示するためには、横幅が足りない。そこで表示変更判定部１１は、画像の大きさと、フレキシブルＬＣＤ２のうち、メインディスプレイ２３を構成する表示領域の大きさ（スライド量から判定できる）とに基づき、画像を半時計周りに９０°回転させた状態で表示することを決定する。表示変更判定部１１はこの決定を表示制御部３に通知し、表示制御部３はその通知にしたがって、画像をメモリ１０から読み出し、横向きに加工して、フレキシブルＬＣＤ２に表示する。
【００６９】
なお、図８（ｂ）の例では、表示制御部３は、引き出されたフレキシブルＬＣＤ２の大きさに適合するように、画像を引き伸ばして表示している。しかし表示制御部３は、画像を引き伸ばさずに、単に表示位置だけをずらして表示してもよい。
【００７０】
一方、ステップＳ７２において、フレキシブルＬＣＤ２のスライド量ｘ１が０≦ｘ１＜ａを満たさないと判定したとき、表示変更判定部１１はつぎに、スライド量ｘ１がａ≦ｘ１≦ｂを満たすか否かを判定する（ステップＳ７３）。ここで、ｂは所定の値であり、フレキシブルＬＣＤがこれ以上上キャビネット２０から引き出せない限界を示す限界スライド量として、携帯端末装置１において、あらかじめメモリ１０に格納されている。
【００７１】
ステップＳ７３において、スライド量ｘ１がａ≦ｘ１≦ｂを満たすと表示変更判定部１１が判定したとき、表示制御部３は、画像の縦方向が図８（ｃ）に記載のＢ方向に向くように、画像をフレキシブルＬＣＤ２に表示する。すなわち、このとき、表示変更判定部１１は、フレキシブルＬＣＤ２が上キャビネット２０から十分に引き出され、横長の画像を表示することできるほど、横幅が広がっている判定する。この判定に基づき、表示変更判定部１１は、画像を回転させることなくフレキシブルＬＣＤ２に表示することを定める。このとき、さらに、画像がフレキシブルＬＣＤ２に全画面表示されるように、拡大して表示することもあわせて決定する。これらの決定にしたがい、表示制御部３は、画像をメモリ１０から読み出し、拡大して、向きを変えることなく、フレキシブルＬＣＤ２に全画面表示する。
【００７２】
一方、ステップＳ７３において、スライド量ｘ１がａ≦ｘ１≦ｂを満たさないと判定したとき、表示変更判定部１１は、フレキシブルＬＣＤ２のスライド量がｂよりも大きいと判定する。このとき、表示変更判定部１１は、フレキシブルＬＣＤをこれ以上上キャビネット２０から引き出せない旨の表示を行うことを決定する。この決定にしたがい、表示制御部３は、フレキシブルＬＣＤ２が上キャビネット２０からこれ以上、引き出せない状態にあることを、ユーザに通知する。具体的には、表示制御部３は、図８（ｄ）に示すように、「これ以上引き出せません」とのメッセージを、フレキシブルＬＣＤ２において、画像の上に重ねて表示する。この通知を確認したユーザは、フレキシブルＬＣＤ２を引き出しすぎたことを確実に知ることができる。
【００７３】
なお、図８（ｄ）に示す例以外にも、携帯端末装置１は、フレキシブルＬＣＤ２を上キャビネット２０から引き出せないことを、音声や振動などの任意の手段によって、ユーザに通知することができる。
【００７４】
（電子ブックのテキスト表示）
携帯端末装置１は、フレキシブルＬＣＤのスライド量に応じた画面の表示状態の切り替え制御を行う他の例として、電子ブックのページ送りを、フレキシブルＬＣＤ２の引き出し量に応じて行うことができる。このときの処理の詳細について、図９および図１０を参照して以下に説明する。
【００７５】
図９は、フレキシブルＬＣＤ２のスライド量に応じて、携帯端末装置１が、電子ブックのページ送りを行うときの処理の流れを示すフローチャートである。図１０（ａ）〜図１０（ｄ）は、フレキシブルＬＣＤ２のスライド量に応じて電子ブックのページ送りが行われる状態を示す図である。より詳細には、図１０（ａ）は、フレキシブルＬＣＤ２が上キャビネット２０に完全に収納されているときにおける電子ブックの表示状態を示す図である。図１０（ｂ）は、フレキシブルＬＣＤ２が上キャビネット２０から引き出される方向にスライドされたときにおける、電子ブックの表示状態を示す図である。図１０（ｃ）は、フレキシブルＬＣＤ２が上キャビネット２０に収納される方向にスライドされたときにおける、電子ブックの表示状態を示す図である。図１０（ｄ）は、フレキシブルＬＣＤ２が上キャビネット２０から引き出される方向に再びスライドされたときにおける、電子ブックの表示状態を示す図である。
【００７６】
携帯端末装置１では、表示制御部３がフレキシブルＬＣＤ２に表示する電子ブックが、テキストデータとしてメモリ１０にあらかじめ格納されている。図１０（ａ）に示すように、フレキシブルＬＣＤ２が上キャビネット２０に完全に収納されているとき、表示制御部３は、電子ブックにおける先頭４行分のテキストをメモリ１０から読み出し、フレキシブルＬＣＤ２に表示している。
【００７７】
ここで、スライド量検出部４が、フレキシブルＬＣＤ２がスライドされたか否かを判定する（ステップＳ９１）。この判定結果が「真」であるとき（Ｙｅｓ）、スライド量検出部４は、フレキシブルＬＣＤ２のスライド方向がプラスであるか否かを判定する（ステップＳ９２）。スライド方向がプラスであるとは、フレキシブルＬＣＤ２が上キャビネット２０から引き出される方向にスライドされることを意味する。ステップＳ９２において、フレキシブルＬＣＤ２のスライド方向がプラス方向であると判定するとき（Ｙｅｓ）、表示変更判定部１１は、フレキシブルＬＣＤ２の表示範囲を広げることを決定する。
【００７８】
これにより表示制御部３は、図１０（ｂ）に示すように、フレキシブルＬＣＤ２における電子ブックの表示範囲を、４行から１４行に拡大する（ステップＳ９３）。このときスライド量検出部４は、フレキシブルＬＣＤ２のスライド量を測定し、表示制御部３に出力する。表示制御部３は、このスライド量に基づき、フレキシブルＬＣＤ２がスライドして新たに露出した面積を算出する。表示制御部３は、算出した面積に表示できる量の、電子ブックの続きのテキストをメモリ１０から読み出し、フレキシブルＬＣＤ２に表示する。これにより、ユーザがフレキシブルＬＣＤ２を上キャビネット２０から引き出すにつれ、フレキシブルＬＣＤ２には、新たに露出する部分に、電子ブックの続きのテキストが次々と表示される。このとき、それまで表示されていたテキスト（先頭４行分）は、消去されずに表示され続けている。
【００７９】
一方、ステップＳ９２において、フレキシブルＬＣＤ２のスライド方向がプラス方向ではないと判定したとき（Ｎｏ）、表示変更判定部１１は、フレキシブルＬＣＤ２における、電子ブックの表示開始位置をシフトすることを決定する。
【００８０】
これにより表示制御部３は、図１０（ｃ）に示すように、表示状態の表示開始位置を、フレキシブルＬＣＤ２の左方向、すなわち、フレキシブルＬＣＤ２を上キャビネット２０に収納する方向にシフトする。（ステップＳ９４）このとき、スライド量検出部４は、フレキシブルＬＣＤ２のスライド量を測定し、表示制御部３に出力する。表示制御部３は、このスライド方向に基づき、フレキシブルＬＣＤ２が上キャビネット２０に収納された面積を算出する。図１０（ｃ）の例では、表示制御部３は、６行分の面積が、マイナス方向にシフトしたことを算出している。これにより表示制御部３は、先頭から６行分のテキストを、フレキシブルＬＣＤ２から消去し、残りの８行分の表示を続ける。すなわち、電子ブックの表示範囲を縮小する（ステップＳ９５）。
【００８１】
これにより、図１０（ｂ）および図１０（ｃ）に示すように、フレキシブルＬＣＤ２を上キャビネット２０に収納する方向にスライドしたとき、フレキシブルＬＣＤ２において、スライドの前後で露出を続ける箇所には、元のままのテキストがそのまま表示され続けるように、ユーザには見える。
【００８２】
図１０の例では、縦書きの電子ブックをフレキシブルＬＣＤ２に表示している。しかし、携帯端末装置１では、たとえば、横書きのウェブページ、地図や写真などの画像表示などをページ送りして表示するときにも、同様の処理を行うことができる。
【００８３】
（チャンネル選択の制限）
携帯端末装置１は、フレキシブルＬＣＤ２のスライド量に応じて、テレビのチャンネル選択を制御することもできる。この例について、図１１および図１２を参照して以下に説明する。
【００８４】
図１１は、フレキシブルＬＣＤ２のスライド量に応じて、携帯端末装置１が、選択可能なチャンネルを切り替えるときにおける処理の流れを説明するフローチャートである。図１２は、フレキシブルＬＣＤ２のスライド量と、選択できるチャンネルとの関係を表す図である。
【００８５】
図１１に示すように、まず、フレキシブルＬＣＤ２が上キャビネット２０から引き出されスライドしたか否かを、スライド量検出部４が判定する（ステップＳ１１１）。この判定結果が「真」であるとき（Ｙｅｓ）、スライド量検出部４は、フレキシブルＬＣＤ２のスライド量を測定して表示変更判定部１１に出力する。表示変更判定部１１は、フレキシブルＬＣＤ２のスライド量ｘ１が、ｃ≦ｘ１＜ｄを満たすか否かを判定する。
【００８６】
ここで、ｃおよびｄは、図１２中に示す基準スライド量であり、携帯端末装置１において、メモリ１０にあらかじめ格納されている。これらの基準スライド量は、フレキシブルＬＣＤ２の露出している部分の縦横比が、およそ４対３になる範囲を示す量である。
【００８７】
ステップＳ１１２において、スライド量ｘ１がｃ≦ｘ１≦ｄを満たすと判定したとき、表示変更判定部１１は、標準画質放送（Ｓｔａｎｄａｒｄ  Ｄｅｆｉｎｉｔｉｏｎ  ＴｅｌｅＶｉｓｉｏｎ  （以下ＳＤＴＶと略））のチャンネルのみを、フレキシブルＬＣＤ２に表示できる候補であると決定する（ステップＳ１１３）。すなわち、表示変更判定部１１は、ハイビジョン放送（Ｈｉｇｈ  Ｄｅｆｉｎｉｔｉｏｎ  ＴｅｌｅＶｉｓｉｏｎ  （以下ＨＤＴＶと略））のチャンネルを、選択できる候補から外す。これによりユーザは、ＳＤＴＶのチャンネルだけを選択できるようになる。このとき、表示制御部３は、ユーザが選択したチャンネルの番組を、フレキシブルＬＣＤ２に表示する（ステップＳ１１４）。
【００８８】
一方、図１２において、スライド量ｘ１がｃ≦ｘ１≦ｄを満たすと判定しなかったとき（Ｎｏ）、表示変更判定部１１は、つぎに、スライド量ｘ１がｅ≦ｘ１≦ｆを満たすか否かを判定する。ｅおよびｆは、図１２に示す基準スライド量であり、携帯端末装置１において、メモリ１０にあらかじめ格納されている。これらの基準スライド量は、フレキシブルＬＣＤ２における露出部分の縦横比が、およそ１６対９になる範囲を示す量である。
【００８９】
ステップＳ１１５において、スライド量ｘ１がｅ≦ｘ１≦ｆを満たすと判定したとき（Ｙｅｓ）、表示変更判定部１１は、ハイビジョン放送（ＨＤＴＶ）のチャンネルのみを選択候補に決定する（ステップＳ１１６）。すなわち表示変更判定部１１は、標準画質放送（ＳＤＴＶ）のチャンネルを選択候補から外す。これによりユーザは、ＨＤＴＶのチャンネルだけを選択できるようになる。このとき、表示制御部３は、ユーザが選択したチャンネルの番組を、フレキシブルＬＣＤ２に表示する（ステップＳ１１７）。
【００９０】
一方、図１１において、スライド量ｘ１がｅ≦ｘ１≦ｆを満たさないと判定したとき、表示変更判定部１１は、受信したチャンネルの番組を、フレキシブルＬＣＤ２に表示しないことを決定する。これにより表示制御部３は、フレキシブルＬＣＤ２に何も表示しない（ステップＳ１１８）。また、フレキシブルＬＣＤ２の引き出し量が、チャンネルを表示するのに適した量でないことを、ユーザに通知する。なお、このとき表示制御部３は、フレキシブルＬＣＤ２に何も表示しない代わりに、フレキシブルＬＣＤ２の現在のサイズが、放送番組を表示するには適さない大きさになっていることを通知するメッセージを、フレキシブルＬＣＤ２に表示してもよい。
【００９１】
なお、携帯端末装置１は、フレキシブルＬＣＤ２の引き出し量に対応した最適なアプリケーション（テレビ、カメラ、画像再生、インターネット、ナビゲーションなど）を起動してもよい。このとき、携帯端末装置１には、図示しないアプリケーション起動部が備えられている。このアプリケーション起動部は、スライド量検出部４が測定した、フレキシブルＬＣＤ２のスライド量を、各アプリケーションに関連付けられている、基準スライド量（メモリ１０に格納されている）と比較する。このときアプリケーション起動部は、測定されたスライド量が、ある基準スライド量の範囲内にあると判定するとき、その範囲にあらかじめ関連付けられている所定のアプリケーションを起動する。これにより、フレキシブルＬＣＤ２の現在のサイズに適応した、最適な表示のできるアプリケーションが、携帯端末装置１において立ち上がる。
【００９２】
ここで、アプリケーション起動部は、フレキシブルＬＣＤ２のスライド量の変化がなくなってから、一定時間（たとえば１秒）が経過したときに、アプリケーションを起動させてもよい。これにより、たとえばＨＤＴＶの番組を閲覧しているときに、スライド量がｃとｄとの間になったときにＳＤＴＶが起動して余計な処理が発生してしまう問題を回避できる。
【００９３】
また、複数のアプリケーションが、おなじ基準スライド量の範囲に関連付けられている場合、アプリケーション起動部は、フレキシブルＬＣＤ２のスライド量が当該基準スライド量になったときに、起動可能な複数のアプリケーションを一覧にしてメニュー表示し、起動させたいアプリケーションをユーザに選択させてもよい。これにより、複数アプリケーションの一斉起動によるメモリの浪費を、防止できる。
【００９４】
〔実施形態２〕
本発明に係る第２の実施形態について、図１３から図１６を参照して以下に説明する。
【００９５】
図１３は、本発明の第２実施形態に係る携帯端末装置１ａの要部構成を示すブロック図である。本実施形態に係る携帯端末装置１ａは、巻き取り式のフレキシブルＬＣＤ２に加え、このフレキシブルＬＣＤ２を人手によらず自動的に引き出したり収納したりするための、モータ１３１をさらに備えている。より詳細には、携帯端末装置１ａは、図１３に示すように、フレキシブルＬＣＤ２、メインディスプレイ用バックライト５、サブディスプレイ用バックライト６、制御部１２ａ、モータ１３１、操作部１３３、およびアンテナ１３５を備えている。
【００９６】
これらのうち、制御部１２ａを除く他のものは、ハードウェアデバイスとして実現されるものである。一方、制御部１２ａは、ソフトウェアまたはハードウェアロジックとして実現されるものである。また、制御部１２ａは、図１に示すように、表示制御部３、照明制御部７、モータ制御部１３２、操作内容受付部１３４、放送受信部１３６、およびチャンネル判定部１３７を備えている。
【００９７】
図１４は、携帯端末装置１ａの上キャビネット２０ａを裏側から見た平面図である。この図に示す上キャビネット２０ａでは、フレキシブルＬＣＤ２の裏側における、支持部２７に相当するところに、ギア１４０が形成されている。図１５（ａ）および図１５（ｂ）は、上キャビネット２０ａの断面を示す図である。より詳細には、図１５（ａ）は、フレキシブルＬＣＤ２が上キャビネット２０ａに完全に収納されている状態を示す図である。図１５（ｂ）は、フレキシブルＬＣＤ２が上キャビネット２０ａから完全に引き出された状態を示す図である。モータ１３１のシャフトには、ギアが備わっている。携帯端末装置１ａでは、モータ制御部１３２がモータ１３１を回転させると、モータ１３１のギアとかみ合うギア１４０を介して、一定の駆動力がフレキシブルＬＣＤ２に伝わる。これにより図１５（ｂ）に示すように、プラス方向に駆動力が伝わると、フレキシブルＬＣＤ２は、上キャビネット２０ａから自動的に引き出される。あるいは、マイナス方向の駆動力が伝わると、上キャビネット２０ａに自動的に収納される。
【００９８】
（選択されたチャンネルに基づき大きさを変更）
携帯端末装置１ａでは、ユーザが選択したチャンネルに対応した最適な大きさになるように、フレキシブルＬＣＤ２を自動的にスライドさせる。このときの処理に流れについて、図１６を参照して以下に説明する。
【００９９】
図１６は、ユーザが選択したチャンネルに対応した最適な大きさになるように、携帯端末装置１ａがフレキシブルＬＣＤ２を自動的にスライドさせるときの処理の流れを示すフローチャートである。
【０１００】
ユーザは、テレビを起動させる操作を、操作部１３３を通じて入力する。この操作を操作内容受付部１３４が受け付け、携帯端末装置１ａにおいてテレビを起動する（ステップＳ１６１）。つぎに、操作内容受付部１３４は、ユーザが操作部１３３を通じてチャンネルを選択したか否かを判定する（ステップＳ１６２）。
【０１０１】
ユーザがチャンネルを選択したことを操作内容受付部１３４が判定したとき（Ｙｅｓ）、放送受信部１３６は、ユーザが選択したチャンネルの番組を受信し、チャンネル判定部１３７に出力する。チャンネル判定部１３７は、ユーザが選択したチャンネルの特性を判定する。具体的には、チャンネルがＨＤＴＶであるか否かを判定する（ステップＳ１６３）。
【０１０２】
ここで、ステップＳ１６３において、チャンネルをＨＤＴＶであるとチャンネル判定部１３７が判定したとき（Ｙｅｓ）、モータ制御部１３２は、フレキシブルＬＣＤ２の露出部分の縦横比が１６対９となるように、モータ１３１を制御する。これにより、フレキシブルＬＣＤ２が自動的に移動し、露出部分の縦横比が１６対９に変化する。したがって、フレキシブルＬＣＤ２のサイズは、ＨＤＴＶに適したものとなる。
【０１０３】
一方、ステップＳ１６３において、チャンネルをＨＤＴＶではないと判定したとき、チャンネル判定部１３７は、チャンネルをＳＤＴＶであると判定する。これによりモータ制御部１３２は、フレキシブルＬＣＤ２の露出部分の縦横比が４対３となるように、モータ１３１を制御する。これにより、フレキシブルＬＣＤ２が自動的に移動し、露出部分の縦横比が４対３に変化する。したがって、フレキシブルＬＣＤ２のサイズは、ＳＤＴＶに適したものとなる。
【０１０４】
モータ制御部１３２がモータ１３１を制御した後、操作内容受付部１３４は、ユーザがテレビを終了する操作を操作部１３３を通じて行ったか否かを判定する（ステップＳ１６６）。この判定結果が「真」であるとき（Ｙｅｓ）、モータ制御部１３２は、フレキシブルＬＣＤ２を上キャビネット２０ａに完全に収納するように、モータ１３１を制御する（ステップＳ１６７）。
【０１０５】
また、フレキシブルＬＣＤ２が引き出された状態において、携帯端末装置１が電話の着信を受けた場合、モータ制御部１３２は、モータ１３１を制御することによって、フレキシブルＬＣＤ２を上キャビネット２０ａに完全に収納させてもよい。これによりユーザは、通話の際にフレキシブルＬＣＤ２を気にしなくて済む。
【０１０６】
また、フレキシブルＬＣＤ２が引き出された状態において、携帯端末装置１が電話の着信を受けた場合、制御部１２ａは、ユーザに、フレキシブルＬＣＤ２を収納するかどうかの確認を求めてもよい。具体的には、表示制御部３が、フレキシブルＬＣＤ２に、当該確認のメッセージを表示させてもよい。
【０１０７】
また、フレキシブルＬＣＤ２が引き出された状態において、携帯端末装置１が電話の着信を受けた場合、携帯端末装置１ａは、自動的にハンズフリーの状態で通話できるようにしてもよい。
【０１０８】
また、フレキシブルＬＣＤ２が引き出された状態において、携帯端末装置１が電話の着信を受けた場合、もしユーザが手動でフレキシブルＬＣＤ２を上キャビネット２０ａに収納したなら、携帯端末装置１は、自動的に着信を受けて、通話可能な状態になってもよい。これによりユーザは、着信を受ける操作をしなくて済む。
【０１０９】
〔実施形態３〕
本発明に係る第３の本実施形態について、図１７から図２０を参照して以下に説明する。
【０１１０】
図１７は、本発明の第３実施形態に係る携帯端末装置１ｂの要部構成を示すブロック図である。この図に示すように、携帯端末装置１ｂは、メモリ１０、制御部１２ｂ、ローラ４１、フレキシブル有機ＥＬ１７１（引き出し型ディスプレイ）、およびタッチパネル１７２（接触位置検出部材）を備えている。これらのうち、制御部１２ｂを除く他のものは、ハードウェアデバイスとして実現されるものである。一方、制御部１２ｂは、ソフトウェアまたはハードウェアロジックとして実現されるものである。また、制御部１２ｂは、図１７に示すように、表示制御部３、スライド量検出部４、タッチ入力検出部１７３、および検出範囲設定部１７４を備えている。
【０１１１】
（携帯端末装置１ｂの概要）
携帯端末装置１ｂにおいて、フレキシブル有機ＥＬ１７１は、テキストや画像などの各種情報を表示するための表示パネル（ディスプレイ）である。このフレキシブル有機ＥＬ１７１は、図１８に示す上キャビネット２０ｂから自在に引き出し可能な、可撓性のディスプレイである。
【０１１２】
ここでいう「可撓性」は、広い意味に解釈できる。すなわち、可撓性のフレキシブル有機ＥＬ１７１は、一枚の基板を基に構成され、基板自身が曲がることのできる性質を有している有機ＥＬディスプレイとして実現できる。また、細長い板状の有機ＥＬパネルを連結させた、シャッター状の有機ＥＬディスプレイとしても実現できる。このとき、板状の有機ＥＬパネルにおける各連結部分が曲がることによって、フレキシブル有機ＥＬ１７１全体として曲がることのできる性質を有することになる。
【０１１３】
携帯端末装置１ｂでは、上キャビネット２０ｂにバックライトが備えられていない。これは、フレキシブル有機ＥＬ１７１が自ら発光する有機ＥＬ素子を有する表示パネルであり、バックライトを必要としないからである。
【０１１４】
なお、携帯端末装置１ｂは、バックライトを必要としないディスプレイとして、反射型のＬＣＤを備えていてもよい。また、外光の反射とバックライトの両方を光源とする半透過型のＬＣＤを有してもよい。このとき、上キャビネット２０ｂから引き出されたＬＣＤを、バックライトを消して反射型として用いてもよい。これにより、ＬＣＤにおける、上キャビネット２０ｂから外に出た部分と、バックライトがある部分との明るさのギャップをなくすことができる。また、バックライトもフレキシブルなシート状となっており、フレキシブルＬＣＤと一体化され、共に引き出される構造になっていてもよい。
【０１１５】
図１８（ａ）および図１８（ｂ）は、上キャビネット２０ｂの断面を示す図である。より詳細には、図１８（ａ）は、フレキシブル有機ＥＬ１７１が上キャビネット２０ｂに完全に収納されている状態を示す図である。図１８（ｂ）は、フレキシブル有機ＥＬ１７１が上キャビネット２０ｂから完全に引き出された状態を示す図である。図１８（ａ）に示すように、フレキシブル有機ＥＬ１７１は可撓性の表示パネルである。したがって、上述したフレキシブルＬＣＤ２と同じように、携帯端末装置１ｂの上キャビネット２０ｂに巻き取られて収納されることができる。また、図１８（ｂ）に示すように、フレキシブル有機ＥＬ１７１を、上キャビネット２０ｂから引き出すこともできる。
【０１１６】
図１８（ａ）に示すように、フレキシブル有機ＥＬ１７１の一端には、引き出し部２５が取り付けられている。ユーザは、この引き出し部２５を掴んでフレキシブル有機ＥＬ１７１を引っ張り、上キャビネット２０ｂから引き出す。一方、フレキシブル有機ＥＬ１７１の他端には、巻き取り可能なシート４２が取り付けられている。図１８（ａ）の状態では、シート４２は、ローラ４１に完全に巻き取られている。フレキシブル有機ＥＬ１７１を引き出すと、このシート４２が引っ張られて、巻き取り状態から、引き伸ばし状態へと変化する。このときフレキシブル有機ＥＬ１７１は、図１８（ｂ）に示すように、ローラ４０に接しながらスライドし、曲げられた状態から、まっすぐに伸ばされた状態へと移行する。
【０１１７】
スライド量検出部４は、ローラ４１の回転量を測定することによって、フレキシブル有機ＥＬ１７１のスライド量（引き出し量）を測定する。なお、スライド量検出部４がフレキシブル有機ＥＬ１７１のスライド量を測定する方法は、この方法に限定されない。
【０１１８】
携帯端末装置１ｂの上キャビネット２０ｂには、フレキシブル有機ＥＬ１７１に重なるように、タッチパネル１７２が備えられている。このタッチパネル１７２は、画面に表示されているオブジェクトにユーザが触れたとき、それを検出することによって、ユーザによる特定の操作を受け付けるハードウェアである。タッチパネル１７２は、上キャビネット２０ｂ内の基板に固定されている。したがって、フレキシブル有機ＥＬ１７１が上キャビネット２０ｂから引き出されても、一緒には移動しない。これは、上キャビネット２０ｂから引き出された位置では、タッチパネル１７２が安定せず、押しにくいためである。すなわち、携帯端末装置１ｂでは、タッチパネル１７２を上キャビネット２０ｂに残しておくことにより、フレキシブル有機ＥＬ１７１を上キャビネット２０ｂから引き出した後においても、タッチパネル１７２の使いやすさを保つことができる。
【０１１９】
（タッチ検出範囲の変更処理）
携帯端末装置１ｂは、フレキシブル有機ＥＬ１７１のスライド位置に応じて、タッチパネル１７２におけるタッチ検出範囲を柔軟に変更する。このときの処理の流れについて、図１９および図２０を参照して以下に説明する。
【０１２０】
図１９は、フレキシブル有機ＥＬ１７１をスライドさせたとき、タッチパネル１７２のタッチ検出位置を、それに併せて変化させるときの処理の流れを示すフローチャートである。図２０（ａ）〜図２０（ｃ）は、フレキシブル有機ＥＬ１７１のスライド位置と、タッチ検出範囲との関係を示す図である。より詳細には、図２０（ａ）は、フレキシブル有機ＥＬ１７１が上キャビネット２０ｂに完全に収納されているときにおける、フレキシブル有機ＥＬ１７１の表示例と、タッチパネル１７２におけるタッチ検出範囲との関係を示す図である。図２０（ｂ）は、フレキシブル有機ＥＬ１７１が上キャビネット２０ｂから引き出されたときにおける、フレキシブル有機ＥＬ１７１の表示例と、タッチパネル１７２におけるタッチ検出範囲との関係を示す図である。図２０（ｃ）は、フレキシブル有機ＥＬ１７１が上キャビネット２０ｂから引き出されたときにおける、フレキシブル有機ＥＬ１７１の表示例と、タッチパネル１７２におけるタッチ検出範囲との他の関係を示す図である。
【０１２１】
図２０（ａ）に示す状態では、フレキシブル有機ＥＬ１７１は、上キャビネット２０ｂに完全に収納されている。このとき表示制御部３は、フレキシブル有機ＥＬ１７１の露出部分の左下位置に、決定ボタン２０１を表示している。ユーザが、タッチパネル１７２における、決定ボタン２０１の表示位置を押下すれば、その押下をタッチ入力検出部１７３が検出する。これによりタッチ入力検出部１７３は、ユーザが決定ボタンを押下したと判定するので、携帯端末装置１ｂは、その押下に対応した所定の処理を実行する。
【０１２２】
携帯端末装置１ｂでは、スライド量検出部４が、フレキシブル有機ＥＬ１７１がスライドしたか否かを判定する（ステップＳ１９１）。この判定結果が「真」であるとき（Ｙｅｓ）、表示制御部３は、上述するように、フレキシブル有機ＥＬ１７１のスライド量に応じて、表示範囲を調節する（ステップＳ１９２）。ユーザが、フレキシブル有機ＥＬ１７１を、図２０（ａ）の状態から図２０（ｂ）の状態にまで引き出したとき、フレキシブル有機ＥＬ１７１は、図２０（ｂ）に示す距離ｇだけシフトしている。そこで、表示制御部３は、この距離ｇだけ、フレキシブル有機ＥＬ１７１の表示範囲拡大する。これにより、たとえば、決定ボタン２０１を、フレキシブル有機ＥＬ１７１の露出部分における中央に表示する。
【０１２３】
つぎに、検出範囲設定部１７４が、タッチ検出位置を、フレキシブル有機ＥＬ１７１のスライド量に応じて、移動させる。具体的には、メモリ１０に格納されている、現在のタッチ検出範囲を表す値を、フレキシブル有機ＥＬ１７１のスライド量だけシフトさせた範囲の値に変更する。図２０（ｂ）の例では、決定ボタン２０１の表示位置が、フレキシブル有機ＥＬ１７１において、右に距離ｇだけシフトしている。そこで、検出範囲設定部１７４は、これに応じて、タッチ検出範囲の値を、距離ｇだけ右にシフトした値に変更する。これにより、タッチパネル１７２におけるタッチ検出範囲を移動させる（ステップＳ１９３）。
【０１２４】
なお、フレキシブル有機ＥＬ１７１が引き出されたときであっても、表示制御部３は、フレキシブル有機ＥＬ１７１の表示内容を変更しなくてもよい。図２０（ｃ）の例では、フレキシブル有機ＥＬ１７１が距離ｇだけ引き出されているが、表示制御部３は、決定ボタン２０１の表示位置を変更していない。このとき検出範囲設定部１７４は、決定ボタン２０１の位置が変更されていないことを受けて、タッチ検出範囲の値も、変更せず、そのままの値にしておく。具体的には、メモリ１０に記憶されている、タッチ検出範囲の値をまったく変更しない。
【０１２５】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【０１２６】
たとえば、携帯端末装置１が備えることのできる引き出し可能なディスプレイは、フレキシブルＬＣＤ２のような一枚の表示パネルからなるディスプレイであっても、細長い形状の表示パネルを複数連結した構造のディスプレイであってもよい。一枚の表示パネルからなるディスプレイであれば、引き伸ばしたときにつなぎ目が生じないので、より見やすくて好ましい。このことは、フレキシブル有機ＥＬ１７１も同様である。
【０１２７】
また、フレキシブルＬＣＤ２は、液晶ディスプレイなどの、背後からの光照射を必要とするディスプレイであればよい。このとき、フレキシブルＬＣＤ２に情報を表示するため、携帯端末装置１は、フレキシブルＬＣＤ２の背後から光を照射するためのバックライトをさらに備えていればよい。
【０１２８】
このバックライトは、フレキシブルＬＣＤ２と共に引き出されることが可能であってもよい。この場合、ユーザがフレキシブルＬＣＤ２を引き出したとき、同時にバックライトも引き出される。これにより、フレキシブルＬＣＤ２における引き出された部分にも、同時に引き出されたバックライトが、光を照射できる。
【０１２９】
この場合、携帯端末装置１は、情報表示のための光照射を、引き出された状態のフレキシブルＬＣＤ２に対して一様に行うことができる。これにより特別の処理をすることなく、フレキシブルＬＣＤ２に表示される画面の明るさが、一様に安定するすなわち、一部が極端に暗くなったり、あるいは明るくなったりすることがない。
【０１３０】
また、携帯端末装置１は、音声を出力する音声出力部材（スピーカなど）を備えることもできる。この音声出力部材は、フレキシブルＬＣＤ２と共に引き出されてもよいし、出されなくてもよい。共に引き出されるとき、ユーザがフレキシブルＬＣＤ２を引き出すと、音声出力部材も同時に引き出され、携帯端末装置１の装置本体から離れた位置に移動する。
【０１３１】
これにより携帯端末装置１は、フレキシブルＬＣＤ２が引き出されたときに、音声出力の臨場感をさらに高めることができる。たとえば、フレキシブルＬＣＤ２と共にステレオスピーカの一方が引き出され、もう一方が装置本体に残されるとき、この効果は顕著となる。
【０１３２】
また、音声出力部材は、フレキシブルＬＣＤ２に形成されている、スピーカ振動子であってもよい。このとき、フレキシブルＬＣＤ２の一部に、スピーカ振動子が一体的に形成される。これによりフレキシブルＬＣＤ２は、スピーカ一体型ディスプレイとして機能する。
【０１３３】
フレキシブルＬＣＤ２に形成されるスピーカ振動子について、図２１（ａ）〜図２１（ｃ）を参照して以下に説明する。図２１（ａ）〜図２１（ｃ）は、フレキシブルＬＣＤ２に形成されているスピーカ振動子を示す図である。より詳細には、図２１（ａ）は、フレキシブルＬＣＤ２におけるメインディスプレイ２３に対応する部分に第１スピーカ振動子２１０が形成されている様子を示す図である。図２１（ｂ）は、サブディスプレイ２２に対応する部分に第２スピーカ振動子２１１が形成されている様子を示す図である。図２１（ｃ）は、フレキシブルＬＣＤ２が完全に引き出されたときに、第１スピーカ振動子２１０および第２スピーカ振動子２１１がステレオスピーカを構成する様子を示す図である。
【０１３４】
図２１（ａ）に示すように、フレキシブルＬＣＤ２におけるメインディスプレイ２３に対応する部分に、第１スピーカ振動子２１０が形成され、図２１（ｂ）に示すように、サブディスプレイ２２に対応する部分に、第２スピーカ振動子２１１が形成されていることが好ましい。この構成では、フレキシブルＬＣＤ２が携帯端末装置１の上キャビネット２０に完全に挿入されているとき、第１スピーカ振動子２１０は、メインディスプレイ２３に表示される情報に関連するモノラル音声を出力する。一方、第２スピーカ振動子２１１は、サブディスプレイ２２に表示される情報に関連するモノラル音声を出力する。
【０１３５】
さらに、この構成のフレキシブルＬＣＤ２をユーザが引き出すと、曲げられたフレキシブルＬＣＤ２はまっすぐになり、１つの大きな表示領域を構成する。この表示領域では、図２１（ｃ）に示すようように、両端にそれぞれ第１スピーカ振動子２１０および第２スピーカ振動子２１１が形成されている。これにより、第１スピーカ振動子２１０と第２スピーカ振動子２１１とは、ステレオスピーカを構成する。
【０１３６】
このとき、携帯端末装置１に備えられる音声出力手段は、第１スピーカ振動子２１０にステレオ音声のうち一方のチャンネルの信号を出力し、第２スピーカ振動子２１１に、ステレオ音声のうちもう一方のチャンネルの信号を出力する。これにより、たとえばフレキシブルＬＣＤ２が１６対９サイズの表示領域を露出するまで引き出されたとき、音声出力手段は、ステレオ音声信号を第１スピーカ振動子２１０および第２スピーカ振動子２１１に出力する。したがって、フレキシブルＬＣＤ２における表示領域が大型化すると共に、モノラルの音声がステレオに切り替わるため、携帯端末装置１が映画等のコンテンツを再生するとき、表示の迫力が向上すると共に、音声の迫力や臨場感も同時に向上する。
【０１３７】
また、携帯端末装置１では、上キャビネット２０から引き出されている状態のフレキシブルＬＣＤ２に表示制御部３が情報を表示しているときに、フレキシブルＬＣＤ２の引き出し量が減少した場合、表示制御部３は、表示していた情報を、フレキシブルＬＣＤ２の引き出し方向に、減少した引き出し量と略同一の距離だけ移動させて表示することが好ましい。
【０１３８】
この場合、フレキシブルＬＣＤ２が上キャビネット２０に収納される方向に移動したとき、その移動距離の分だけ、フレキシブルＬＣＤ２における情報表示がシフトする。したがって、ユーザがフレキシブルＬＣＤ２を上キャビネット２０に収納させたとしても、その前後において、ユーザが閲覧している情報の表示位置は、相対的に変化しない。
【０１３９】
これによりユーザは、フレキシブルＬＣＤ２において情報をより快適に閲覧できる。さらに、ユーザがフレキシブルＬＣＤ２を携帯端末装置１に繰り返し出し入れすることによって、表示制御部３は、フレキシブルＬＣＤ２の表示を、ページ送りのように次々と更新することができる。
【０１４０】
また、携帯端末装置１では、上キャビネット２０から引き出されている状態のフレキシブルＬＣＤ２に表示制御部３が情報を表示しているときに、フレキシブルＬＣＤ２の引き出し量が増加した場合、表示制御部３は、表示していた情報を、フレキシブルＬＣＤ２の収納方向に、増加した引き出し量と略同一の距離だけ移動させて表示することが好ましい。
【０１４１】
この場合、フレキシブルＬＣＤ２が上キャビネット２０から引き出される方向に移動したとき、その移動距離の分だけ、フレキシブルＬＣＤ２における情報表示がシフトする。したがって、ユーザがフレキシブルＬＣＤ２を上キャビネット２０から引き出したとしても、その前後において、ユーザが閲覧している情報の表示位置は、相対的に変化しない。
【０１４２】
これによりユーザは、フレキシブルＬＣＤ２において情報をより快適に閲覧できる。さらに、ユーザがフレキシブルＬＣＤ２を携帯端末装置１に繰り返し出し入れすることによって、表示制御部３は、フレキシブルＬＣＤ２の表示を、ページを戻すときのように次々と更新することができる。
【０１４３】
携帯端末装置１は、以上に説明した、引き出し量の減少時における表示のシフト処理と、増加時における表示のシフト処理とのうち、少なくともいずれかを実行するものであればよい。なお、以上の２つの処理を組み合わせれば、フレキシブルＬＣＤ２を繰り替えし出し入れしたとしても、表示情報が相対的にまったく変化させないようにすることもできる。
【０１４４】
また、フレキシブルＬＣＤ２が曲げられて上キャビネット２０に収納されているときにおける、曲げた位置によって分けられる一方の面のうち少なくとも一部が、メインディスプレイ２３として上キャビネット２０の表面に露出していればよい。さらに、曲げた位置によって分けられる他方の面のうち少なくとも一部が、メインディスプレイ２３とは異なるサブディスプレイ２２として、メインディスプレイ２３が露出する面とは異なる面に露出していればよい。
【０１４５】
このとき、フレキシブルＬＣＤ２は、携帯端末装置１において、メインディスプレイ２３およびサブディスプレイ２２として機能する。たとえば、携帯端末装置１のある面におけるメインディスプレイ２３と、その面の裏側の面におけるサブディスプレイ２２とが、いずれも、一つのフレキシブルＬＣＤ２によって兼用されている。これにより携帯端末装置１は、フレキシブルＬＣＤ２をより有効に活用できる。
【０１４６】
また、本発明は、図２２（ａ）および図２２（ｂ）に示すように、ディスプレイを２２１が装着されたスライド部２２０を備えている携帯端末装置１ｃとしても実現できる。図２２（ａ）は、スライド部２２０がスライドされていない状態の携帯端末装置１ｃを示す図である。図２２（ｂ）は、スライド部２２０がスライドされている状態の携帯端末装置１ｃを示す図である。
【０１４７】
図２２（ａ）に示すように、携帯端末装置１ｃは、スライド部２２０を備えている。このスライド部２２０には、ディスプレイ２２１が装着されている。スライド部２２０がスライドされていないとき、ディスプレイ２２１は、携帯端末装置１ｃの内部に完全に収納されている。したがって、ディスプレイ２２１は携帯端末装置１ｃの外部に露出されていない。
【０１４８】
ここで、図２２（ｂ）に示すように、ユーザがスライド部２２０をスライドさせると、ディスプレイ２２１も同時にスライドする。したがってディスプレイ２２１は、携帯端末装置１ｃの外部に露出する。これによりユーザは、ディスプレイ２２１を通じて情報の表示を確認できる。
【０１４９】
なお、携帯端末装置１ｃは、図２３（ａ）および図２３（ｂ）に示すように、ディスプレイ２２１の一部がサブディスプレイ２３１として機能する構成としても実現できる。図２３（ａ）は、スライド部２２０がスライドされていない状態において、ディスプレイ２２１の一部がサブディスプレイ２３１として機能する携帯端末装置１ｃを示す図である。図２３（ｂ）は、スライド部２２０がスライドされた状態において、サブディスプレイ２３１が機能しない携帯端末装置１ｃを示す図である。
【０１５０】
図２３（ａ）に示すように、携帯端末装置１ｃにおいて、スライド部２２０がスライドされていないとき、ディスプレイ２２１の一部が、窓２３０を通じて携帯端末装置１ｃの外側に露出している。このときディスプレイ２２１の一部は、サブディスプレイ２３１として機能している。
【０１５１】
ここで、図２３（ｂ）に示すように、ユーザがスライド部２２０をスライドさせると、ディスプレイ２２１の全体が携帯端末装置１ｃの外部に露出する。一方で、窓２３０にはスライド部２２０の筐体部分が重なるので、窓２３０を通じてはディスプレイ２２１は露出しない。したがって、ディスプレイ２２１の一部はサブディスプレイ２３１として機能しない。
【０１５２】
また、本発明に係る携帯端末装置１では、テレビ番組を表示しているときフレキシブルＬＣＤ２が引き出されると、表示制御部３は、フレキシブルＬＣＤ２のうち引き出された部分にデータ放送を表示してもよい。図２４（ａ）は、上キャビネット２０にフレキシブルＬＣＤ２が収納されているときに、フレキシブルＬＣＤ２にテレビ番組が表示される様子を示す図である。図２４（ｂ）は、テレビ番組の表示中にフレキシブルＬＣＤ２が引き出されたときに、フレキシブルＬＣＤ２のうち引き出された部分にデータ放送が表示される様子を示す図である。
【０１５３】
図２４に示す例では、フレキシブルＬＣＤ２が上キャビネット２０に完全に収納されているとき、フレキシブルＬＣＤ２にテレビ番組が表示されている。ここで、図２４（ｂ）に示すように、ユーザが引き出し部２５を掴んでフレキシブルＬＣＤ２を引き出すと、表示制御部３は、表示位置を変えることなくテレビ番組を表示し続ける。一方で、フレキシブルＬＣＤ２のうち上キャビネット２０から離れていく部分に、表示しているテレビ番組についてのデータ放送を表示する。なお、表示制御部３は、フレキシブルＬＣＤ２の引き出し量に応じて、表示するデータ放送の行数を変更してもよい。
【０１５４】
また、本発明に係る携帯端末装置では、さらに、
上記引き出し型ディスプレイは、可撓性を有しており、
携帯端末装置は、上記引き出し型ディスプレイを曲げた状態で上記装置本体に収納することが好ましい。
【０１５５】
上記の構成によれば、引き出し型ディスプレイは、可撓性を有している。したがって、自在に湾曲させることができる。この性質を利用して、携帯端末装置は、引き出し型ディスプレイを、装置に本体に、湾曲させた状態で収納する。これにより携帯端末装置は、引き出し型ディスプレイを、まっすぐの状態で収納する場合に比べて、より小型の装置本体にも収納できる。したがって、より小型の携帯端末装置を実現できる効果を奏する。
【０１５６】
また、本発明に係る携帯端末装置では、さらに、
上記表示制御手段は、
上記引き出し量に応じて、画像の大きさを調整して上記引き出し型ディスプレイに表示することが好ましい。
【０１５７】
上記の構成によれば、表示制御手段は、引き出し型ディスプレイの引き出し量に応じて、引き出し型ディスプレイに表示する画像のサイズを調整する。したがって携帯端末装置は、引き出し型ディスプレイの現在のサイズに合致した大きさの画像を表示できる効果を奏する。
【０１５８】
また、本発明に係る携帯端末装置では、
上記表示制御手段は、
上記検出された引き出し量に応じたサイズのコンテンツを表示することが好ましい。
【０１５９】
上記の構成によれば、表示制御手段は、引き出し型ディスプレイの現在のサイズに応じたサイズのコンテンツを選択し、引き出し型ディスプレイに表示する。たとえば、引き出し型ディスプレイの縦横比率と同じ比率の画像をメモリから読み出し、表示する。これにより携帯端末装置は、引き出し型ディスプレイに最適なサイズのコンテンツを表示できる効果を奏する。
【０１６０】
また、本発明に係る携帯端末装置では、
上記引き出し型ディスプレイは、背面からの光照射を必要とするディスプレイであり、
上記引き出し型ディスプレイの上記光を照射する、上記引き出し型ディスプレイと共に引き出されることが可能なバックライトをさらに備えていることが好ましい。
【０１６１】
上記の構成によれば、引き出し型ディスプレイは、液晶ディスプレイなどの、背後からの光照射を必要とするディスプレイである。引き出し型ディスプレイに情報を表示するため、携帯端末装置は、引き出し型ディスプレイの背後から光を照射するためのバックライトをさらに備えている。このバックライトは、引き出し型ディスプレイと共に引き出されることが可能である。したがって、ユーザが引き出し型ディスプレイを引き出したとき、同時にバックライトも引き出される。これにより、引き出し型ディスプレイにおける引き出された部分にも、同時に引き出さされたバックライトが、光を照射できる。
【０１６２】
このように携帯端末装置は、情報表示のための光照射を、引き出された状態の引き出し型ディスプレイに対して一様に行うことができる。これにより特別の処理をすることなく、引き出し型ディスプレイに表示される画面の明るさが、一様に安定する効果を奏する。すなわち、一部が極端に暗くなったり、あるいは明るくなったりすることがない。
【０１６３】
また、本発明に係る携帯端末装置では、さらに、
上記引き出し型ディスプレイは、背面からの光照射を必要とするディスプレイであり、
上記引き出し型ディスプレイにおける、上記装置本体に収納されている部分に上記光を照射するためのバックライトと、
上記バックライトから照射される光の量を制御する光量制御手段と、
携帯端末装置の周囲の光量を検出する光量検出手段とをさらに備えており、
上記光量制御手段は、上記光量検出手段が検出した上記周囲の光量に応じて、バックライトから照射される光の量を制御することが好ましい。
【０１６４】
上記の構成によれば、携帯端末装置は、引き出し型ディスプレイは、液晶ディスプレイなどの、背後からの光照射を必要とするディスプレイである。そのため、この引き出し型ディスプレイに情報を表示するため、携帯端末装置は、引き出し型ディスプレイの背後から光を照射するためのバックライトをさらに備えている。
【０１６５】
携帯端末装置では、光量検出手段が、携帯端末装置の周囲の光量を検出する。この検出量に基づき、光量制御手段が、バックライトから照射される光の量を制御する。
【０１６６】
これにより、引き出し型ディスプレイにおける、装置本体に収納されている部分と、装置本体から引き出されている部分とにおいて、等しい光量の光が入射する。これにより、引き出し型ディスプレイに表示される画面の明るさが、一様に安定する効果を奏する。すなわち、一部が極端に暗くなったり、あるいは明るくなったりすることがない。
【０１６７】
また、本発明に係る携帯端末装置では、
上記引き出し型ディスプレイの前面に、ユーザによる接触の位置を検出する接触位置検出部材をさらに備え、
上記接触位置検出部材は、装置本体に固定されていることが好ましい。
【０１６８】
上記の構成によれば、携帯端末装置は、引き出し型ディスプレイの前面に、ユーザによる接触の位置を検出する接触位置検出部材（たとえばタッチパネル）をさらに備えている。この接触位置検出部材は、装置本体に固定されているため、引き出し型ディスプレイと共に引き出されない。すなわちユーザが引き出し型ディスプレイを引き出したとしても、接触位置検出部材は、引き出し型ディスプレイにおける装置本体に収納されている部分の前面に配置され続ける。
【０１６９】
したがって、たとえば引き出し型ディスプレイがやわらかく、引き出されたときに撓みやすい形状であるとき、この部分には接触位置検出部材が設けられないので、接触位置の検出が不安定になることを防止できる効果を奏する。
【０１７０】
また、本発明に係る携帯端末装置では、
上記引き出し型ディスプレイの前面に、ユーザによる接触の位置を検出する接触位置検出部材をさらに備え、
上記接触位置検出部材は、上記引き出し型ディスプレイと共に引き出されることが可能であることが好ましい。
【０１７１】
上記の構成によれば、携帯端末装置は、引き出し型ディスプレイの前面に、ユーザによる接触の位置を検出する接触位置検出部材（たとえばタッチパネル）をさらに備えている。この接触位置検出部材は、装置本体に固定されておらず、引き出し型ディスプレイと共に引き出されることが可能である。すなわちユーザが引き出し型ディスプレイを引き出したとき、接触位置検出部材は共に引き出され、引き出し型ディスプレイにおける引き出された部分の前面への接触もカバーする。
【０１７２】
これにより携帯端末装置は、引き出し型ディスプレイが引き出された位置においても、ユーザによる画面の接触を検出できる効果を奏する。
【０１７３】
また、本発明に係る携帯端末装置では、さらに、
上記引き出し型ディスプレイと共に引き出されることが可能な音声出力部材をさらに備えていることが好ましい。
【０１７４】
上記の構成によれば、携帯端末装置は、音声を出力する音声出力部材を備えている。この音声出力部材は、引き出し型ディスプレイと共に引き出されることが可能である。したがって、ユーザが引き出し型ディスプレイを引き出すと、音声出力部材も同時に引き出され、装置本体から離れた位置に移動する。
【０１７５】
これにより携帯端末装置は、たとえば一方の音声出力部材が装置本体側にある状態において、他方の音声部材と共に引き出し型ディスプレイが引き出されたとき、音声出力の臨場感をさらに高めることができる効果を奏する。
【０１７６】
また、本発明に係る携帯端末装置では、さらに、
装置本体から引き出されている状態の上記引き出し型ディスプレイに上記表示手段が情報を表示しているときに、上記引き出し型ディスプレイの引き出し量が減少した場合、上記表示手段は、上記表示していた情報を、上記引き出し型ディスプレイの引き出し方向に上記引き出し量と略同一の距離だけ移動させて表示することが好ましい。
【０１７７】
上記の構成によれば、引き出し型ディスプレイが装置本体に収納される方向に移動したとき、その移動距離の分だけ、引き出し型ディスプレイにおける情報表示がシフトする。したがって、ユーザが引き出し型ディスプレイを装置本体に収納させたとしても、その前後において、ユーザが閲覧している情報の表示位置は、相対的に変化しない。
【０１７８】
これによりユーザは、引き出し型ディスプレイにおいて情報をより快適に閲覧できる効果を奏する。さらに、ユーザが引き出し型ディスプレイを携帯端末装置に繰り返し出し入れすることによって、表示手段は、引き出し型ディスプレイの表示を、ページ送りのように次々と更新することができる。
【０１７９】
また、本発明に係る携帯端末装置では、さらに、
上記引き出し型ディスプレイの引き出し量が増加した場合、上記表示手段は、上記表示していた情報を、上記増加した引き出し量と略同一の距離だけ、上記引き出し型ディスプレイの収納方向に移動させて表示することが好ましい。
【０１８０】
上記の構成によれば、引き出し型ディスプレイが装置本体から引き出される方向に移動したとき、その移動距離の分だけ、引き出し型ディスプレイにおける情報表示が、装置本体への収納方向へシフトする。したがって、ユーザが引き出し型ディスプレイを装置本体から引き出したとしても、その前後において、ユーザが閲覧している情報の表示位置は、相対的に変化しない。
【０１８１】
これによりユーザは、引き出し型ディスプレイにおいて情報をより快適に閲覧できる効果を奏する。さらに、ユーザが引き出し型ディスプレイを携帯端末装置に繰り返し出し入れすることによって、表示手段は、引き出し型ディスプレイの表示を、ページを戻すときのように次々と更新することができる。
【０１８２】
また、本発明に係る携帯端末装置では、
上記引き出し量に応じた所定のアプリケーションを起動するアプリケーション起動手段をさらに備えていることが好ましい。
【０１８３】
上記の構成によれば、アプリケーション起動手段は、引き出し型ディスプレイの現在のサイズに応じたアプリケーションを起動する。たとえば、引き出し型ディスプレイのサイズに最適な画面表示を行うアプリケーションを起動する。これにより、携帯端末装置においてユーザが利用できる最適なアプリケーションを起動できる効果を奏する。
【０１８４】
以上のように、本発明に係る携帯端末装置では、引出量検出手段が検出した引き出し型ディスプレイ引き出し量に応じた表示を、引き出し型ディスプレイに行う表示制御手段を備えているため、引き出されることによって表示領域を大型化できるディスプレイをより有効に活用できる効果を奏する。
【０１８５】
（プログラムおよび記録媒体）
最後に、携帯端末装置に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１８６】
すなわち、携帯端末装置は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１８７】
この構成により、本発明の目的は、所定の記録媒体によっても、達成できる。
この記録媒体は、上述した機能を実現するソフトウェアである携帯端末装置の制御プログラムのプログラムコード（実行形式プログラム、中間コードプログラム、ソースプログラム）をコンピュータで読み取り可能に記録していればよい。携帯端末装置に、この記録媒体を供給する。これにより、コンピュータとしての携帯端末装置（またはＣＰＵやＭＰＵ）が、供給された記録媒体に記録されているプログラムコードを読み出し、実行すればよい。
【０１８８】
プログラムコードを携帯端末装置に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１８９】
また、携帯端末装置を、通信ネットワークと接続可能に構成しても、本発明の目的を達成できる。この場合、上記のプログラムコードを、通信ネットワークを介して携帯端末装置に供給する。この通信ネットワークは、携帯端末装置にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１９０】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１９１】
本発明は、引き出されると表示領域が露出する各種のディスプレイを備える各種の表示装置として、幅広く実現できる。
【符号の説明】
【０１９２】
１  携帯端末装置
２  フレキシブルＬＣＤ
３  表示制御部（表示手段）
４  スライド量検出部（引出量検出手段）
５  メインディスプレイ用バックライト
６  サブディスプレイ用バックライト
７  照明制御部
８  光量センサ
９  光量検出部（光量検出手段）
１０  メモリ
１１  表示変更判定部
２０  上キャビネット（装置本体）
２０ａ  上キャビネット（装置本体）
２０ｂ  上キャビネット（装置本体）
２１  下キャビネット
２２  サブディスプレイ（第１のディスプレイ）
２３  メインディスプレイ（第２のディスプレイ）
２４  操作ボタン
２５  引き出し部
２６  筐体
２７  支持部
４０  ローラ
４１  ローラ
５０  引き出し型バックライト
５１  バックライト
１３１  モータ
１３２  モータ制御部（ディスプレイ移動手段）
１３３  操作部
１３４  操作内容受付部
１３５  アンテナ
１３６  放送受信部
１３７  チャンネル判定部
１４０  ギア
１７１  フレキシブル有機ＥＬ（引き出し型ディスプレイ）
１７２  タッチパネル（接触位置検出部材）
１７３  タッチ入力検出部
１７４  検出範囲設定部
２０１  決定ボタン
２１０  第１スピーカ振動子（音声出力部材）
２１１  第２スピーカ振動子（音声出力部材）
【図１】
2011034087.tif 000003
【図２（ａ）】
2011034087.tif 000004
【図２（ｂ）】
2011034087.tif 000005
【図２（ｃ）】
2011034087.tif 000006
【図３（ａ）】
2011034087.tif 000007
【図３（ｂ）】
2011034087.tif 000008
【図３（ｃ）】
2011034087.tif 000009
【図３（ｄ）】
2011034087.tif 000010
【図４（ａ）】
2011034087.tif 000011
【図４（ｂ）】
2011034087.tif 000012
【図５（ａ）】
2011034087.tif 000013
【図５（ｂ）】
2011034087.tif 000014
【図６】
2011034087.tif 000015
【図７】
2011034087.tif 000016
【図８（ａ）】
2011034087.tif 000017
【図８（ｂ）】
2011034087.tif 000018
【図８（ｃ）】
2011034087.tif 000019
【図８（ｄ）】
2011034087.tif 000020
【図９】
2011034087.tif 000021
【図１０（ａ）】
2011034087.tif 000022
【図１０（ｂ）】
2011034087.tif 000023
【図１０（ｃ）】
2011034087.tif 000024
【図１０（ｄ）】
2011034087.tif 000025
【図１１】
2011034087.tif 000026
【図１２】
2011034087.tif 000027
【図１３】
2011034087.tif 000028
【図１４】
2011034087.tif 000029
【図１５（ａ）】
2011034087.tif 000030
【図１５（ｂ）】
2011034087.tif 000031
【図１６】
2011034087.tif 000032
【図１７】
2011034087.tif 000033
【図１８（ａ）】
2011034087.tif 000034
【図１８（ｂ）】
2011034087.tif 000035
【図１９】
2011034087.tif 000036
【図２０（ａ）】
2011034087.tif 000037
【図２０（ｂ）】
2011034087.tif 000038
【図２０（ｃ）】
2011034087.tif 000039
【図２１（ａ）】
2011034087.tif 000040
【図２１（ｂ）】
2011034087.tif 000041
【図２１（ｃ）】
2011034087.tif 000042
【図２２（ａ）】
2011034087.tif 000043
【図２２（ｂ）】
2011034087.tif 000044
【図２３（ａ）】
2011034087.tif 000045
【図２３（ｂ）】
2011034087.tif 000046
【図２４（ａ）】
2011034087.tif 000047
【図２４（ｂ）】
2011034087.tif 000048